(57)【要約】【課題】水平に泳ぐ傾向が顕著なティアドロップ形のスプーンタイプのルアー。【解決手段】ティアドロップ形のスプーンタイプのルアーであって、ライン取り付け孔１１とフック取り付け孔１２とが水平線上にあり、フック取り付け孔１２からライン取り付け孔１１に向かう長さのうちのフック取り付け孔１２寄り３５〜４５％の範囲にスプーン状にくぼむスプーン部３２が形成される一方、その長さの残りの範囲に上面２が凸面となり下面３がほぼ水平となる中実の山部３１が形成される。スプーン部３２と山部３１との上面２は、水平線とほぼ垂直に交わる面からなる連結部１９を介してつながり、スプーン部３２と山部３１との下面３が滑らかな曲線を画いてつながる。【選択図】図１
2006158270.tif 000002
【特許請求の範囲】
【請求項１】
互いに直交する上下方向と前後方向とを有し、前記上下方向には上面とその反対面である下面とが形成され、前記前後方向には前端部とその反対端部である後端部とが形成されており、前記前端部に前記上下面を貫通するライン取り付け孔が形成される一方、前記後端部には前記上下面を貫通するフック取り付け孔が形成されており、前記上下面それぞれの幅が前記前端部から前記後端部に向かって次第に広くなった後に急激に狭くなるように変化するティアドロップ形のスプーンタイプの金属製ルアーであって、
前記ライン取り付け孔と前記フック取り付け孔とが水平線上にあって、前記フック取り付け孔から前記ライン取り付け孔に向かう長さのうちの前記フック取り付け孔寄り３５〜４５％の範囲に前記水平線の下方へ向かって前記上面が凹面となり前記下面が凸面となってスプーン状にくぼむスプーン部が形成される一方、前記長さのうちの残りの範囲に前記水平線の上方へ向かって前記上面が凸面となり前記下面がほぼ平面となる中実の山部が形成されており、前記水平線の延びる方向において、前記スプーン部における前記上面と前記山部における前記上面とが前記水平線とほぼ垂直に交わる面を介してつながる一方、前記スプーン部における前記下面と前記山部における前記下面とが滑らかな曲線を画いてつながっていることを特徴とする前記ルアー。
【発明の詳細な説明】
【技術分野】
【０００１】
この発明は、ルアーフィッシングに使用するスプーンタイプの金属製ルアーに関する。
【背景技術】
【０００２】
従来、ルアーフィッシングに使用するルアーとしてスプーンタイプのものは周知である。例えば、特許第２８７９６４０号公報（特許文献１）には、平面形状が雨滴形ないし卵形、即ちティアドロップ形のスプーンタイプのルアーであって、ラインを取り付ける前部からフックを取り付ける後部に向かって板厚を次第に厚くし、後部の板厚を最大にしたものが開示されている。
【特許文献１】特許第２８７９６４０号公報
【発明の開示】
【発明が解決しようとする課題】
【０００３】
特許文献１に開示のスプーンタイプのルアーは、重心が後部にあって、ラインを引いたときに前部が後部よりも上方に位置するというものである。同文献によれば、かようなルアーは、板厚が均一なものに比較して、より遠くに、かつ狙ったポイントに確実に投げることができる。しかし、平面形状における幅が前部から後部に向かって次第に広くなるように変化するスプーンタイプのルアーは、特許文献１の出願日以前にティアドロップ形のものとして周知であり、このものの重心は当然のことながらルアーの後部にある。したがって、特許文献１に開示のルアーの泳ぎ方、換言するとライン操作に対するルアーの反応の仕方は、従来のスプーンタイプのルアーの泳ぎ方と大差がなく、ラインを引くと前部が後部よりも上方に位置してルアーが斜め上方へ向かって浮き上がるように進もうとする傾向にある。
【０００４】
そこで、この発明では、スプーンタイプのルアーにおいて、ラインを引いたときに、それが水面に平行に、即ち水平に泳ぐ傾向が顕著になって、簡単には浮き上がることがないように改良することを課題にしている。
【課題を解決するための手段】
【０００５】
前記課題を解決するために、この発明が対象とするのは、互いに直交する上下方向と前後方向とを有し、前記上下方向には上面とその反対面である下面とが形成され、前記前後方向には前端部とその反対端部である後端部とが形成されており、前記前端部に前記上下面を貫通するライン取り付け孔が形成される一方、前記後端部には前記上下面を貫通するフック取り付け孔が形成されており、前記上下面それぞれの幅が前記前端部から前記後端部に向かって次第に広くなった後に急激に狭くなるように変化するティアドロップ形のスプーンタイプの金属製ルアーである。
【０００６】
かかるルアーにおいて、この発明が特徴とするところは、次のとおりである。
前記ライン取り付け孔と前記フック取り付け孔とが水平線上にあって、前記フック取り付け孔から前記ライン取り付け孔に向かう長さのうちの前記フック取り付け孔寄り３５〜４５％の長さ範囲に前記水平線の下方へ向かって前記上面が凹面となり前記下面が凸面となってスプーン状にくぼむスプーン部が形成される一方、前記長さのうちの残りの範囲に前記水平線の上方へ向かって前記上面が凸面となり前記下面がほぼ平面となる中実の山部が形成されている。前記水平線の延びる方向において、前記スプーン部における前記上面と前記山部における前記上面とが前記水平線とほぼ垂直に交わる面を介してつながる一方、前記スプーン部における前記下面と前記山部における前記下面とが滑らかな曲線を画いてつながっている。
【発明の効果】
【０００７】
請求項１に係るこの発明のルアーは、ルアーの前方、すなわちライン取り付け孔寄りに中実の山部が形成される一方、ルアーの後方、すなわちフック取り付け孔寄りにスプーン部が形成されており、山部の高さを高くすることによってルアーの前方部分を重くすることができる。また、ルアーは、山部における下面がほぼ平坦であって、スプーン部における下面がその平坦な下面から下方に向かって膨らむように突出する。したがって、ラインを引くと、ルアーの前端部から後端部に向かう水の流れは、その突出しているスプーン部の下面に衝接して、ルアーの後方部分を押し上げるように作用する。かようなルアーでは、これら山部の重さとスプーン部における下面との作用によって、水面と平行になるように水平に泳ぐ傾向が顕著になる。また、このルアーは、山部における上面とスプーン部における上面とがほぼ垂直な面を介してつながっていて、これら両部の間では上面の傾きが急激に変化するから、ルアーの上面に沿って前端部から後端部に向かう水の流れは、そのほぼ垂直な面の部分において乱れて、ルアーを不規則に振動させるように作用する。
【発明を実施するための最良の形態】
【０００８】
添付の図面を参照して、この発明に係るルアーの詳細を説明すると、以下のおとりである。
【０００９】
図１，２，３は、ルアー１の側面を示す図と、ルアー１の上面２を示す図と、ルアー１の下面３を示す図であって、図１には、ライン６と、それをルアー１に取り付けるためのスナップスイーベル７と、フック８と、フック８をルアー１に取り付けるためのスプリットリング９とが仮想線で示されている。
【００１０】
ルアー１は、図１に示されているように、互いに直交する前後方向Ｘと上下方向Ｙとを有し、上下方向Ｙには上面２とその反対面である下面３とが形成されている。前後方向Ｘにおける前端部にはライン６を取り付けることができ、後端部にはフック８を取り付けることができる。ルアー１はまた、図２，３から明らかなように、前後方向Ｘに長くて、上下面それぞれの幅が前端部から後端部に向かって次第に広くなった後に急激に狭くなるように変化するティアドロップ形（雨滴形）を成しているもので、前端部にはライン６を取り付けるために使用する前方の円孔１１を有し、後端部にはフック８を取り付けるために使用する後方の円孔１２を有している。図１では、これら両円孔１１，１２の中心軸Ｃ１，Ｃ２に直交する線が水平線１３となるような状態でルアー１が示されている（図４参照）。
【００１１】
図４は、図２のＩＶ−ＩＶ線断面図であって、互いに平行な円孔１１と円孔１２それぞれの中心軸Ｃ１，Ｃ２に直交する線が水平線１３を成しており、これら中心軸Ｃ１，Ｃ２間の距離がＬで示されている。ルアー１の上面２は、前方に凸曲面部１６を有し、後方に凹曲面部１７を有し、これら両曲面部１６，１７が連結部１９を介してつながっている。好ましい連結部１９は、水平線１３に対してほぼ垂直に交わっている。また、ルアー１の下面３は、凸曲面部１６の下方にほぼ水平な平坦面部２１を有し、凹曲面部１７の下方に凸曲面部２２を有し、平坦面部２１と凸曲面部２２とが緩やかな曲線部２３を介してつながっている。かようにして、ルアー１の前方には上面２が上方に隆起することによって山部３１が形成され、後方には上面２が下方に向かってくぼんでスプーン状を成すスプーン部３２が形成されている。山部３１とスプーン部３２とをつないでいる連結部１９はスプーン部３２が水平線１３の長さＬのうちの後方寄り３５〜４５％の範囲を占めるような位置に形成されており、山部３１は水平線１３のうちの残りの範囲、即ち長さＬの６５〜５５％を占めるように形成されている。
【００１２】
図５，６は、図１のルアー１を前方から見たときの図と、後方から見たときの図である。ルアー１は、幅方向の中央部において上下方向Ｙの寸法が大きく、中央部から側方に向かってその寸法が次第に小さくなる。
【００１３】
かような形状のルアー１は、ステンレススチールや銅等の金属で作り、山部３１の高さをさまざまに変化させることによって、その山部３１を有する前方部分をいかようにも重くすることができる。そのようにして前方部分が重くなったルアー１は、ライン６を引いても上向きになり難い。さらには、ライン６を引いたときにルアー１の前端部から後端部に向かって流れる水が、下面３のうちの緩やかな曲面部２３に前方から衝接して、ルアー１の後端部を押し上げるように作用する。かくしてルアー１では、水面に対してほぼ平行となるように水平に前進する傾向が強くなる。ルアー１はまた、スプーン部３２を有することによって、スプーンタイプのルアーに特有な木の葉が水中で舞うように幅方向へ揺れる動きを示すことができるものであるが、上面２が凸曲面部１６と凹曲面部１７との境界である連結部１９においてその傾きを急激に変化させているので、上面２に沿って前端部から後端部に向かう水の流れはその連結部１９の近傍で乱れて、木の葉のように舞うルアー１の幅方向への動きを不規則なものにしたり、小刻みなものにしたりして魚の関心を引くことができる。
【産業上の利用可能性】
【００１４】
この発明によれば、水平に泳がせることが容易なスプーンタイプのルアーの製造が可能になる。
【図面の簡単な説明】
【００１５】
【図１】ルアーの側面を示す図。
【図２】ルアーの上面を示す図。
【図３】ルアーの下面を示す図。
【図４】図２のＩＶ−ＩＶ線断面図。
【図５】ルアーを前方から見た図。
【図６】ルアーを後方から見た図。
【符号の説明】
【００１６】
１    ルアー
２    上面
３    下面
６    ライン
８    フック
１１    孔
１２    孔
１３    水平線
１９    ほぼ垂直に交わる面
２３    滑らか曲線
３１    山部
３２    スプーン部
【図１】
2006158270.tif 000003
【図２】
2006158270.tif 000004
【図３】
2006158270.tif 000005
【図４】
2006158270.tif 000006
【図５】
2006158270.tif 000007
【図６】
2006158270.tif 000008